(57)【要約】【課題】建設機械の機体を基本的に大きくすることなく、また機体形状を複雑にすることなく、物品の収納箱を設置できるようにする。【解決手段】物品の収納箱（２２）を機体（８）の通路（Ｗ）上に設置する。【選択図】　　　　図２
2004084356.tif 000002
【特許請求の範囲】
【請求項１】
物品の収納箱が、建設機械の機体の通路の上に設置されている、ことを特徴とする建設機械の収納箱。
【請求項２】
該機体の上部を覆う機体上面に位置した通路に設置されている、請求項１記載の建設機械の収納箱。
【請求項３】
該収納箱の上面及びその縁部に滑り止め手段が施されている、請求項１又は２記載の建設機械の収納箱。
【発明の詳細な説明】
【０００１】
【発明の属する技術分野】
本発明は、建設機械に設置される物品の収納箱に関する。
【０００２】
【従来の技術】
建設機械には、工具、給脂具、作業用具など、種々の物品を出し入れ自在に収納する収納箱が備えられている。この収納箱は、例えば、機体のエンジンルーム内、あるいは運転室内などに設置されている。
【０００３】
【発明が解決しようとする課題】
しかしながら、上述したとおりの従来の収納箱には、次のとおりの解決すべき課題がある。
【０００４】
（１）設置空間が限られる：
建設機械は、運転者の視界を良好にし、また周囲の障害物と干渉しにくいようにし、能率良く稼働できるように、機体を可能な限り小型化することが望まれている。したがって、物品の収納箱の設置空間が限られている。また、収納箱の大型化、増設も難しい。
【０００５】
（２）機体形状が複雑になる：
収納箱を限られた機体空間内に、例えば機体の点検整備などの作業の邪魔にならないように設置すると、機体の形状が複雑になる。
【０００６】
本発明は上記事実に鑑みてなされたもので、その技術的課題は、機体を基本的に大きくすることなく、また機体形状を複雑にすることなく、収納箱を設置できるようにした、建設機械の収納箱を提供することである。
【０００７】
【課題を解決するための手段】
すなわち、本発明によれば、上記技術的課題を解決するために、物品の収納箱が、建設機械の機体の通路の上に設置されている、ことを特徴とする建設機械の収納箱が提供される。
【０００８】
そして、機体の通路上の空間を利用して、機体を基本的に大きくすることなしに、また機体形状を複雑にすることなしに、収納箱を設置する。
【０００９】
好適実施形態においては、該収納箱は該機体の上部を覆う機体上面に位置した通路に設置され、該収納箱の上面及びその縁部に滑り止め手段が施されている。
【００１０】
そして、作業者が機体の点検整備などの際に乗降し利用する機体上面の通路に収納箱を効果的に設置する。さらに、通路として好適なように収納箱の上面及び縁部に滑り止め手段を施す。
【００１１】
【発明の実施の形態】
以下、本発明に従って構成された建設機械の収納箱について、典型的な建設機械である油圧ショベルにおける好適実施形態を図示している添付図面を参照して、さらに詳細に説明する。
【００１２】
図１を参照して説明すると、全体を番号２で示す油圧ショベルは、左右一対のトラック４、４を有した下部走行体６と、下部走行体６上に旋回自在に取付けられた上部旋回体８を備えている。機体である上部旋回体８には、前部左側に運転室１０が、右側に燃料タンク１２及びその前側にバッテリなどの収納室１４が設置されている。上部旋回体８にはまた、中央部にエンジン、油圧機器などを収容した機器室１６が、前部中央に作業腕１８が、後部にカウンタウエイト２０が配設されている。
【００１３】
機体である上部旋回体８の上面は機体の上部を覆う平坦な機体上面Ｆを形成し、作業者の乗降が可能に形成されている。作業者はこの機体上面Ｆに上って、機器室１６内のエンジン、油圧機器の保守点検などの作業を行うことができる。
【００１４】
図１と共に図１の右前部部分拡大詳細図である図２を参照して説明する。バッテリなどの収納室１４には、前面下部に乗降ステップ１４ａが、前面上部に乗降ステップ１４ｂが、そして上面に滑り止め手段を施した踏面１４ｃが備えられている。そしてこれらによって、乗降ステップ１４ａ、１４ｂ、踏面１４ｃ、機体上面Ｆの一部である燃料タンク１２の上を通り、機体上面Ｆに乗降するための通路Ｗが形成されている。
【００１５】
本願発明に係る物品の収納箱２２が、通路Ｗの機体上面Ｆに位置した、燃料タンク１２の上の部分に設置されている。
【００１６】
収納箱２２について、その斜視図である図３及び上方から見た平面図である図４を参照して説明する。収納箱２２は偏平の略直方体に形成され、機体上面Ｆに載置される底部２４と、底部２４の上を覆って収納箱２２の上面を形成する、底部２４に揺動開閉を自在に取付けられた一対の蓋、主蓋２６及び副蓋２８を備えている。
【００１７】
底部２４は、略矩形状の底板２４ａと、底板２４ａの周縁の一部（図４の左側部）に立設された縦壁２４ｂと、底板２４ａの一側（図４の上側）に位置しボルト孔を有した一対のボス２４ｃ、２４ｃとを備えている。底部２４は、このボス２４ｃ、２４ｃにボルト（図示していない）が通されて通路Ｗが位置する機体上面Ｆ上に取付けられている。
【００１８】
主蓋２６は、底部２４を主として覆う大きさの略矩形に形成され、一端側（図４の上側）は底板２４ａに向けて折り曲げられその部分が一対のヒンジ３０、３０により底板２４ａに取付けられている。主蓋２６の他端側（図４の下側）は、底板２４ａに向けた折曲部２６ａを有し、折曲部２６ａには一対の、ボルト穴を有したアングル２６ｂ、２６ｂが備えられている。このアングル２６ｂ、２６ｂが底板２４ａに備えられたねじ穴付きのボス２４ｄ、２４ｄに、それぞれボルト（図示していない）によって取付けられ、主蓋２６は収納箱２２を閉じた状態にして底部２４上に固定される。
【００１９】
副蓋２８は、主蓋２６上に端部が重ねられて並べられて設けられている。一端側（図４の上側）は底板２４ａに向けて折り曲げられその部分がヒンジ３１により、主蓋２６と同様に、底板２４ａに取付けられている。他端側（図４の下側）及び主蓋２６と重ならない反対側端（図４の右側端）はそれぞれ、底板２４ａに向けた折曲部２８ａ、２８ｂを有している。副蓋２８の上面には、主蓋２６に備えられたブラケット２６ｃの穴にピンを抜き差し自在にしたロック３２が取付けられている。折曲部２８ｂには取手孔２８ｃが形成されており、取手孔２８ｃの周縁には合成ゴム製のグロメット２９が嵌められている。
【００２０】
収納箱２２の主蓋２６及び副蓋２８の上面及びその縁部には、滑り止め手段が施されている。主蓋２６及び副蓋２８の上面には、滑り止め手段としての、複数個の星型突起が形成された滑り止め板３４、３６がそれぞれリベットにより取付けられている。また、主蓋２６のヒンジ３０が備えられた折曲部及び副蓋２８の折曲部２８ｂそれぞれの折曲角には、滑り止め手段としての、複数個の突起３８が一体的に成形されている。
【００２１】
かくして収納箱２２には、収納箱２２としての収納空間が、底板２４ａ、その縦板２４ｂ、主蓋２６、その折曲部２６ａ、副蓋２８、その折曲部２８ａ、２８ｂによって形成されている。副蓋２８は、ロック３２のピンをブラケット２６ｃの穴から抜き、取手孔２８ｃを用いて、ヒンジ３１を中心に揺動させることにより開閉される。また、主蓋２６は、副蓋２８を開けた後に、そのブラケット２６ｂをボス２４ｄに止めているボルト（図示していない）を外しヒンジ３０、３０を中心に揺動させることにより開閉される。
【００２２】
上述したとおりの建設機械の収納箱の作用について説明する。
【００２３】
（１）設置空間：
収納箱２２を機体の既存の通路Ｗ上に設置したので、従来の収納箱の設置空間が限られる問題を除くことができる。また、収納箱のレイアウトが自由であり、収納箱の大型化、増設も容易である。
【００２４】
（２）機体形状：
収納箱２２の設置は、通路Ｗの高さを部分的に底上げすることで機体上部の空間を有効に利用でき機体形状を基本的に変更しないので、機体形状が複雑にならない。
【００２５】
（３）機体上面に設置：
特に、収納箱２２を機体上部を覆う機体上面Ｆの通路に設置することにより、機体の上面を有効に活用することができる。
【００２６】
（４）滑り止め手段：
収納箱２２の上面及びその縁部に滑り止め加工を施すことにより、収納箱２２の収納機能に加え、収納箱２２を通路Ｗの一部として効果的に用いることができる。
【００２７】
（５）アクセス：
収納箱２２が通路Ｗに設置されているので、収納箱２２への物品の出し入れのアクセスが容易である。
【００２８】
以上、本発明を実施の形態に基づいて詳細に説明したが、本発明は上記の実施の形態に限定されるものではなく、例えば下記のように、本発明の範囲内においてさまざまな変形あるいは修正ができるものである。
【００２９】
（１）通路：
本実施の形態においては、通路として機体である上部旋回体８の上面Ｆにつながる通路Ｗが示されているが、通路はこの通路Ｗに限定されるものではなく、機体に備えられた適宜のものでよい。
【００３０】
（２）滑り止め手段：
本実施の形態においては、収納箱２２の上面及びその縁部に施される滑り止め手段として、複数個の星型突起の形成された滑り止め板３４、３６、あるいは蓋に一体的に成形した複数個の突起３８を備えているが、滑り止め手段としては、例えば縞鋼板、ヤスリ板、ゴム板など適宜のものを用いることができる。
【００３１】
【発明の効果】
本発明に従って構成された建設機械の収納箱によれば、機体を基本的に大きくすることなく、また機体形状を複雑にすることなく、収納箱を設置できるようにした、建設機械の収納箱が提供される。
【図面の簡単な説明】
【図１】本発明に従って構成された建設機械の収納箱を備えた建設機械の典型例である油圧ショベルの概略斜視図。
【図２】図１の収納箱設置部分の拡大図。
【図３】図２の収納箱の拡大斜視図。
【図４】図３の矢印Ａ方向に見た収納箱の拡大平面図。
【符号の説明】
２：油圧ショベル（建設機械）
８：上部旋回体（機体）
２２：収納箱
３４：滑り止め板（滑り止め手段）
３６：滑り止め板（滑り止め手段）
３８：突起（滑り止め手段）
Ｆ：機体上面
Ｗ：通路
【図１】
2004084356.tif 000003
【図２】
2004084356.tif 000004
【図３】
2004084356.tif 000005
【図４】
2004084356.tif 000006